(57)【特許請求の範囲】
【請求項１】
ブラケット本体に使用回転位置と退避回転位置との間で回転自在に連結され、手摺杆支持部において手摺杆を支持する手摺杆支持体と、
係止位置において手摺杆支持体の基端に形成される被係止部に係止する係止部を備え、該手摺杆支持体を使用回転位置に拘束するストッパと、
ストッパを係止位置側に付勢する付勢手段とを有し、
前記ストッパは、係止部と被係止部との係止面に直交し、かつ、中心軸が被係止部の回転端側辺縁近傍を通過する直杆部においてブラケット本体に抜け止めされて遊嵌される手摺用ブラケット。
【請求項２】
前記ストッパは、ストッパ本体部に直杆部を螺合して形成される請求項１記載の手摺用ブラケット。
【請求項３】
ブラケット本体に連結される手摺杆支持体を使用回転位置と退避回転位置との間で回転させて、手摺杆支持体の上端に支持された手摺杆を設置基部から突出する使用位置と、上方に回転して設置基部に沿う退避位置との間で移動操作可能で、かつ、ストッパにより手摺杆支持体の使用回転位置から退避回転位置側への回転を規制する手摺用ブラケットであって、
前記ブラケット本体には、手摺杆支持体の回転基端に形成されるストッパ壁面が当接して該手摺杆支持体の下方回転ストロークを規制するストッパ壁面が設けられるとともに、
ストッパは、ブラケット本体の設置基部への固定面に挿通される螺杆からなる直杆部を、使用回転位置において垂直面となる被係止部に係止して手摺杆支持体を使用回転位置に拘束する係止部を備えたストッパ本体部に連結して形成され、
かつ、ストッパは、ブラケット本体に固定される付勢手段により係止位置側に付勢される手摺用ブラケット。
【発明の詳細な説明】
【０００１】
【発明の属する技術分野】
本発明は手摺用ブラケットに関するものである。
【０００２】
【従来の技術】
壁面等に固定されるブラケット本体に対して手摺杆を支持するための手摺杆支持体を回転自在に装着し、不使用時には手摺杆を退避位置まで移動させることのできる手摺用ブラケットとしては、例えば、特開２００１-２６２８０３号公報に記載されたものが知られている。
【０００３】
この従来例において、手摺ブラケットは、長孔を有するブラケット本体と、手摺杆を固定するためのアームとを備える。長孔の両基端には係止用の切欠が手摺杆の長手方向に延設され、アームを下端の切欠に係止させた状態で使用状態が、上端の切欠に係止させた状態で退避状態が保持される。
【０００４】
【発明が解決しようとする課題】
しかし、上述した従来例において、手摺杆を使用状態と退避状態との間で移行させるためには、一旦手摺杆全体を長手方向に移動させる作業を要するために、作業性が悪い上に、使用状態であっても、手摺杆を移動させる操作が禁止されていないために、過って退避状態に移行させる操作を完全に禁止することができず、安全性にも劣るという問題がある。
【０００５】
また、手摺杆を支持する手摺支持体をブラケット本体に回転自在に連結し、適宜のストッパにより手摺杆を使用状態に維持することも可能であるが、以下の理由によりストッパの信頼性が小さいという難がある。
【０００６】
すなわち、図７（ａ）に示すように、手摺杆支持体２を使用回転位置から退避回転位置側にＡ方向に回転させようとすると、ストッパ６側の係止面５ａには、手摺杆支持体２の回転中心Ｃ２と被係止部４の係止面５ａとの接点とを結ぶ線分に直交する方向の操作力（Ｆ）が発生し、ストッパ６には係止面５ａ方向と、係止面５ａに直交する方向の分力（ＦＨ、ＦＶ）が発生する。被係止部４と係止面５ａとは接触状態であるために、ストッパ６には、直交分力（ＦＶ）のみが作用し、該直交分力（ＦＶ）によりストッパ６にはアーム長ｄとの積であるＭ＝ＦＶ・ｄの回転モーメントが付与される。この回転モーメント（Ｍ）は図７（ａ）に示すように、ストッパ６を係止解除方向に動作させる方向を持つために、操作力（Ｆ）が大きくなると不用意にストッパ６が解除されるおそれがあり、ストッパ６による被係止部４の拘束信頼性を低下させることになる。
【０００７】
この問題は、図７（ｂ）に示すように、上記直交分力（ＦＶ）によるモーメント（Ｍ）が逆方向を向くように係止面５ａを設定することにより解決可能であるが、この場合には以下の問題が生じる。すなわち、ストッパ６は係止解除操作により係止位置から係止解除位置に移動することが必要であり、該ストッパ６が図示の係止位置から回転して係止解除位置に移動する場合には、係止面５ａの移動軌跡上に被係止部４が存在しないことが条件となる。しかし、上述した設定では、図７（ｂ）に示すように、回転中心Ｃ６を中心とする係止面５の回転軌跡（Ｔ）が被係止部４より回転中心Ｃ６方向に入り込むために、ストッパ６への操作が不可能になる。
【０００８】
上述したように、手摺杆支持体２への大きな操作力の付加によりストッパ６が係止解除位置側に移動することは、ストッパ６の信頼性を低下させることとなり、この問題は、上述した例でいえば、被係止部４との干渉をストッパ６の弾性変形で回避することで一応回避することが可能であるが、弾性体により形成されたストッパ６には未だ信頼性に欠けるという問題がある。
【０００９】
本発明は、以上の欠点を解消すべくなされたものであって、手摺杆３の姿勢変更の作業性が良好で、かつ、不用意に退避状態への移行が生じないようにして安全性を向上させた手摺用ブラケットの提供を目的とする。
【００１０】
【課題を解決するための手段】
本発明によれば上記目的は、
ブラケット本体１に使用回転位置と退避回転位置との間で回転自在に連結され、手摺杆支持部２ａにおいて手摺杆３を支持する手摺杆支持体２と、
係止位置において手摺杆支持体２の基端に形成される被係止部４に係止する係止部５を備え、該手摺杆支持体２を使用回転位置に拘束するストッパ６と、
ストッパ６を係止位置側に付勢する付勢手段７とを有し、
前記ストッパ６は、係止部５と被係止部４との係止面４ａ、５ａに直交し、かつ、中心軸Ｃ８が被係止部４の回転端側辺縁近傍を通過する直杆部８においてブラケット本体１に抜け止めされて遊嵌される手摺用ブラケットを提供することにより達成される。
【００１１】
手摺杆３を支持する手摺杆支持体２は退避回転位置と使用回転位置との間で回転操作可能であり、不使用時に退避回転位置まで回転させることによって手摺杆３を例えば壁面等の設置基部９から突出する使用回転位置から、壁面に沿う退避位置まで移動させることができる。使用回転位置への保持は、手摺杆支持体２に設けた回り止めの退避回転位置側への移動をストッパ６の係止部５により阻止して行われる（ロック状態）。
【００１２】
ロック状態において、図５（ａ）に示すように、手摺杆支持体２に退避回転位置側へのＡ方向の回転力を与えると、係止面５ａには直交分力（ＦＶ）と平行分力（ＦＨ）が発生するが、係止面５ａへの作用点、すなわち、被係止部４の回転端が直杆部８の中心線近傍に配置される本発明においては、上記直交分力（ＦＶ）は概ね直杆部８に対する引張力として作用し、ストッパ６に対する回転モーメント発生しない。また、上記回転端が直杆部８の中心線近傍に位置しているために、係止位置から係止解除位置側へのストッパ６の操作も可能になる。
【００１３】
なお、側面視における被係止部４の回転端は直杆部８の中心線近傍に有れば足り、正確に直杆部８の中心線上に配置される必要はない。すなわち、例えば、図５（ａ）に示した例で、やや上方に偏位していても、アーム長（図７における寸法ｄ）が短くなるために、有害な回転モーメントを可及的に小さくすることができ、本発明の目的を達成できる。また、被係止部４の回転端が下方に偏位しても、係止部５と被係止部４との間に直杆部８長手方向に少量のクリアランスを取ることによりストッパ６の操作が可能になる。クリアランスの存在は、被係止部４が係止部５に接触するまで回転した際には、該被係止部４の回転端は直杆部８の中心線にほぼ一致することとなり、ストッパ６への回転モーメントが発生することがないことから許容される。
【００１４】
したがって、本発明によれば、手摺杆３を長手方向に移動させることなく、手摺杆３の位置を変更することができるために、使い勝手が良好になる。また、ストッパ６を剛体で形成することが可能になり、かつ、手摺杆３に加えた力によってストッパ６に発生する係止解除位置側への回転モーメントを可及的に小さくすることができるために、ストッパ６の信頼性を高めることができる。この結果、ストッパ６の信頼性に難があるために、従来使用されなかった、手摺杆３を下方に回転させて退避回転位置とするような仕様も可能になり、設計自由度が向上する。
【００１５】
さらに、ストッパ６を係止位置側に付勢する付勢手段７は係止部５が被係止部４に接触することを補償するだけで足り、大きな反力を要しないために、ストッパ６の操作力が過大になることもない。
【００１６】
加えて、ストッパ６は、直杆部８をブラケット本体１に適宜の手段で抜け止めして遊嵌させるだけの構成で、格別の回転中心を形成する必要がないために、構造が簡単で、製造コストも低減させることができる。
【００１７】
ストッパ６は一体物として形成することも可能であるが、直杆部８を分割し、残余のストッパ本体部６ａにねじ込んで形成することができる。直杆部８を螺杆等により形成することにより、係止部５の直杆部８長手方向の位置、すなわち、被係止部４との係止位置を正確に調整することが可能になり、手摺杆支持体２のがたつきを効果的に防止できる。
【００１８】
【発明の実施の形態】
図１ないし４に壁付き可動手摺として構成された本発明の実施の形態を示す。この実施の形態において手摺杆３は、硬質材により形成される笠木受け３ａの外周部に軟質材、あるいは軟質材の表層に硬質材をコーティングした被覆体３ｂを被覆して長尺に形成される。
【００１９】
壁面（設置基部９）に所定ピッチで取り付けられて上記手摺杆３を支持する手摺用ブラケットは、壁面９に固定されるブラケット本体１と、ブラケット本体１に回転自在に連結される手摺杆支持体２とを有し、上記手摺杆３は手摺杆支持体２の上端に形成される板状の手摺杆支持部２ａにねじ２ｃを使用して固定される。
【００２０】
ブラケット本体１は、壁面９への固定面１ｂに設けられたアンカー挿通孔１ｃに壁面９側のアンカー９ａを挿通させた後、ナット９ｂを締め付けて壁面９に固定される。このブラケット本体１は、固定面１ｂの両側方、および上端縁を前方に膨隆させた側壁１ｄ、およびストッパ壁面１ａを有し、側壁１ｄ上部を中心部に膨隆して軸受け段部１ｅが形成される。また、ストッパ壁面１ａは、後述するように、手摺杆支持体２の下方回転ストロークを規制することができるように、前上がりの傾斜面により形成される。
【００２１】
上記ブラケット本体１の固定面１ｂの正面側壁面にはスプリング保持体１０がねじ１０ａを使用して固定される。スプリング保持体１０は、金属板材により形成され、ブラケット本体１の側壁に沿って折り曲げられる２枚の翼片１０ｂ、１０ｂ間に引張コイルスプリング（付勢手段７）が架設される。
【００２２】
手摺杆支持体２は、上記手摺支持部２ａの下端部に基端ブロック部２ｄを形成して、正面視においてブラケット本体１の側壁間の間隔よりやや幅狭の細長矩形状に形成される。基端ブロック部２ｄの両側壁部には回転軸部２ｅが同軸上に突出され、図４に示すように、該回転軸部２ｅをブラケット本体１側の軸受け段部１ｅと、スプリング保持体１０の翼片１０ｂ先端に形成した軸受け段部１０ｃとで挟み付けてブラケット本体１に回転自在に連結される。また、基端ブロック部２ｄの背面には回転軸部２ｅと同心の円弧面２ｆと、この円弧面２ｆから接線方向に延設されるストッパ壁面２ｂが形成され、図３（ａ）に示すように、ストッパ壁面２ｂがブラケット本体１側のストッパ壁面１ａに当接して使用回転位置に対応する回転ストローク下方終端が決定される。さらに、手摺杆支持体２には、図５に示すように、基端ブロック部２ｄの下端に使用回転位置において正面側を向く垂直面からなる係止面４ａを備えた被係止部４が形成される。
【００２３】
手摺杆支持体２を使用回転位置に拘束するために、ブラケット本体１にはストッパ本体部６ａに直杆部８を連結したストッパ６が装着される。ストッパ本体部６ａは操作部６ｂと、操作部６ｂの背面に膨隆するストッパブロック６ｃを備え、ストッパブロック６ｃの上面には、直杆部８の中心軸Ｃ８に対して直交し、設置基部９側を向く平面からなる係止面５ａを備える係止部５が形成される。
【００２４】
一方、直杆部８は、図１、２に示すように、皿形頭部８ａを備えたボルトにより形成され、ストッパ本体部６ａに中心軸Ｃ８方向にねじ込み深さ調整可能に螺合される。図３に示すように、このストッパ６は、ブラケット本体１の固定面１ｂを貫通する直杆部８にストッパ本体部６ａを連結することによってブラケット本体１に装着され、装着状態において、直杆部８の皿形頭部８ａが皿もみ凹部１ｆ内に収容されて抜け止めされる。また、ストッパ６の装着状態において、引張コイルスプリング７がストッパブロック６ｃの正面壁両側縁を圧接し、該ストッパ６に壁面９側への付勢力を付与する。
【００２５】
さらに、上記ブラケット本体１の両側壁により形成される正面開口部には板金に折り曲げ加工を施して形成されるカバー体１１が装着される。カバー体１１は、側縁に形成された立壁１１ａをブラケット本体１の両側壁内壁に圧接させることにより装着され、装着状態において上縁がストッパ本体部６ａの操作部６ｂ下端まで接近してストッパ６の押し込み方向のストロークを規制する。
【００２６】
以上のように構成されるブラケットの動作を以下に説明する。上述したように、ストッパ６には引張コイルスプリング７により上方への付勢力が付与されており、該ストッパ６には、直杆部８の皿形頭部８ａと、該皿形頭部８ａが遊嵌状に嵌合される皿もみ凹部１ｆとの接触点を回転中心とするモーメントが付与され、図３（ａ）に示すように、手摺杆支持体２が使用回転位置にある際には、ストッパ本体部６ａの上端面が手摺杆支持体２の基端ブロック部２ｄに当接する。この状態において、直杆部８は壁面９に対してほぼ直交姿勢となっており、図５に示すように、係止部５の係止面５ａは、手摺杆支持体２側の被係止部４の係止面４ａに正対する。このとき、図５（ｂ）に示すように、係止面４ａ、５ａ間に隙間が生じていると、この隙間に対応するだけ手摺杆支持体２の移動が許容され、がたつきの原因となるために、直杆部８のストッパ本体部６ａへのねじ込み深さを調整することによって、図５（ａ）に示すように、係止面４ａ、５ａ間を密着させることができる。ねじ込み深さについては、操作部６ｂ上端の当接部２ｇが手摺杆支持体２に接触する位置で、組み立て時に係止面４ａ、５ａ間が適宜の接触圧力により密着するように締め付けトルクの管理を行うことで容易に調整可能である。
【００２７】
図５（ａ）に示すように、係止面４ａ、５ａが密着した状態において、被係止部４の回転側端縁は側面視において直杆部８の中心軸Ｃ８上に位置しており、係止面４ａ、５ａに対して上方、かつ後方に位置する回転軸部２ｅを中心に手摺杆支持体２を退避回転位置側、すなわち上方に回転させようとした場合には、ストッパ６側の係止面５ａには、平行分力（ＦＨ）と直交分力（ＦＶ）が発生する。この状態で手摺杆３に上方への大きな負荷を与えても、ストッパ６への回転モーメント発生要素となる直交分力（ＦＶ）は直杆部８への引張力としてのみ作用するために、ストッパ６が不用意に解除方向に回転することはない。また、手摺杆３に下方への荷重をかけても、手摺杆支持体２のストッパ壁面２ｂがブラケット本体１に当接して下方への回転を規制しているために、手摺杆支持体２が下方に回転することもない。
【００２８】
以上のロック状態の解除は、手摺杆支持体２の下方に位置するストッパ６の操作部６ｂを下方に押しつけることにより簡単に行うことができ、操作部６ｂの押し下げにより、直杆部８の皿形頭部８ａは擬似的な回転中心となって係止解除位置まで回転し、手摺杆支持体２の被係止部４との係止が解除される。被係止部４の回転側端縁が側面視、すなわち、手摺杆支持体２の回転面に直交する方向から見た状態で直杆部８の中心軸Ｃ８上に配置されているために、ストッパ６のロック解除操作中にストッパ６側の係止部５の係止面５ａが被係止部４の係止面４ａに干渉することがないために、ストッパ６は引張コイルスプリング７の反力に抗する操作力を与えるだけで円滑に動作させることができる。
【００２９】
また、ストッパ６は直杆部８をブラケット本体１に挿通させた状態で装着され、奥行き方向の移動がカバー体１１に衝接するまで許容されるために、ストッパ６の操作部６ｂに下方への操作力を与えた状態でストッパ６が回転し、被係止部４との係止が解除された瞬間に、被係止部４から脱落するように奥行き方向に少量移動するために、節度感が発生し、利用者は、容易にストッパ６の解除を知ることができる。
【００３０】
なお、この実施の形態において、係止部５の係止面５ａとの有効係止面積を増加させるために、被係止部４の回転側端縁は、該端縁に形成されるアール面４ｂの存在を考慮して、直杆部８の中心軸Ｃ８よりやや下方にはみ出して形成される。
【００３１】
手摺杆３の退避位置までの退避操作は、上述したようにストッパ６をロック解除位置に移動させた状態で手摺杆３を上方に移動させて手摺杆支持体２を退避回転位置まで回転させるだけで行うことが可能であり、ストッパ６の移動により、両端がスプリング保持体１０の両翼に連結されて移動が拘束される引張コイルスプリング７は、図６に示すように、ストッパ６のストッパブロック６ｃの下面両側縁により前方に押されて中央部が撓んだ状態となってストッパ６を前方斜め上方に付勢する。ロック解除位置においてストッパ６に前方斜め上方の付勢力を確実に与えるために、ストッパ本体部６ａのストッパブロック６ｃには、引張コイルスプリング７の外周を壁面９側に押しつけるための曲率段部６ｄが形成される。
【００３２】
退避回転位置において手摺杆支持体２は、基端ブロック部２ｄの下端に形成された第２ストッパ面２ｈがストッパ本体部６ａの上面に押圧されて当該位置を保持し、この後、再び手摺杆支持体２を使用回転位置まで回転させると、ストッパ６の係止部５の前端縁が基端ブロック部２ｄの第２ストッパ面２ｈと被係止部４との間に形成された斜面２ｊ上を摺接しながら引張コイルスプリング７の付勢力により原位置に復帰し、係止部５と被係止部４とが係止する。被係止部４との係止は、上記付勢力により弾発的に行われるために、操作者は容易に係止完了を知ることが可能なために、過って未係止状態で手摺杆３の復帰作業を終了することがない。
【００３３】
【発明の効果】
以上の説明から明らかなように、本発明によれば、手摺杆の姿勢変更の作業性を良好にすることができ、かつ、不用意に退避状態への移行が生じないために、安全性が向上する。
【図面の簡単な説明】
【図１】本発明を示す分解斜視図である。
【図２】設置基部への取付状態を示す図で、（ａ）は手摺杆の使用状態、（ｂ）は退避状態を示す図である。
【図３】図２の断面図で、設置基部、ブラケット本体および手摺杆を要部で切断したものであり、（ａ）は手摺杆の使用状態、（ｂ）は退避状態を示す図である。
【図４】手摺杆支持体の連結状態を示す断面図であり、要部説明図である。
【図５】ストッパの動作を説明する要部断面図であり、（ａ）は手摺杆支持体が使用回転位置にある状態を示す図、（ｂ）は係止面間に隙間が発生した状態を示す図である。
【図６】手摺杆支持体が退避回転位置にある状態を示す図であり、図５に対応する要部断面図である。
【図７】従来の問題を示す説明図である。
【符号の説明】
１          ブラケット本体
１ａ        ストッパ壁面
１ｂ        固定面
２          手摺杆支持体
２ａ        手摺杆支持部
２ｂ        ストッパ壁面
３          手摺杆
４          被係止部
４ａ        係止面
５          係止部
５ａ        係止面
６          ストッパ
６ａ        ストッパ本体部
７          付勢手段
８          直杆部
Ｃ８        中心軸
９          設置基部
【図１】
0003700969.tif 000002
【図２】
0003700969.tif 000003
【図３】
0003700969.tif 000004
【図４】
0003700969.tif 000005
【図５】
0003700969.tif 000006
【図６】
0003700969.tif 000007
【図７】
0003700969.tif 000008